(57)【特許請求の範囲】
【請求項１】
地上設置の構造物における支柱，梁等の構造枠を囲繞被覆しまた部分被覆するように該構造枠に取付設置する構造枠被覆用のトレリスであって，上記囲繞被覆の形状を構造枠外周方向に等区分することによって断面形状を円弧，Ｌ字，コ字，直線，波線等の適宜の区分形状とするとともに構造枠の長手方向に沿う長尺のグリッドとし且つ上記構造枠との間に取付金具を介設することによって構造枠の外周方向に離隔した状態に取付自在とし且つ上記取付金具を，上記構造枠とトレリスとの間に構造枠長手方向に傾斜配置する所定の長さを有する長寸基体と，その長手方向一端に配置し構造枠の外側面に対接してネジ，釘等の固定金具によってこれに固定する対接固定片と，長手方向他端に配置しグリッドに引掛係止して構造枠からの間隔を保持してトレリスを保持する引掛係止片とを備えて形成してなることを特徴とする支柱等設置用トレリス。
【請求項２】
上記断面形状を円弧とし且つその囲繞被覆の形状の等区分を円周の１／２円，１／３円又は１／４円の等角度としてなることを特徴とする請求項１に記載の支柱等設置用トレリス。
【請求項３】
上記グリッドを太径の丸鋼線材を溶着することによって構成してなることを特徴とする請求項１又は２に記載の支柱等設置用トレリス。
【請求項４】
地上設置の構造物における支柱，梁等の構造枠を囲繞被覆しまた部分被覆するように該構造枠に取付設置する構造枠被覆用にして構造枠の長手方向に沿う長尺のグリッドの構成としたトレリスの取付金具であって，上記構造枠とトレリスとの間に構造材長手方向に傾斜配置する所定の長さを有する長寸基体と，その長手方向一端に配置し構造枠の外側面に対接してネジ，釘等の固定金具によってこれに固定する対接固定片と，長手方向他端に配置しグリッドに引掛係止して構造枠からの間隔を保持してトレリスを保持する引掛係止片とを備えてなることを特徴とする支柱等設置用トレリスの取付金具。
【請求項５】
上記引掛係止片を二股形状に形成し，グリッドの十字状，Ｔ字状，Ｙ字状等の交点を引掛係止自在としてなることを特徴とする請求項４に記載の支柱等設置用トレリスの取付金具。
【請求項６】
上記取付金具をバネ鋼によって形成してなることを特徴とする請求項４又は５に記載の支柱等設置用トレリスの取付金具。
【発明の詳細な説明】
【０００１】
【発明の属する技術分野】
本発明は，地上設置のアーチ，門，テラス，ベランダ，ポール等各種の構造物における支柱，梁等の構造枠に取付けるように使用する支柱等設置用トレリス及びその取付金具に関する。
【０００２】
【従来の技術及び発明が解決しようとする課題】
ガーデニングのための商品として，例えばパネル形状に形成した木製のトレリスが販売されており，これは一般に庭の一部に起立設置して袖壁とするように使用して，植物を這わせたり，花を植栽したポットをフックによって吊り下げたりして，その装飾を行なったりするように使用されるが，トレリスの形態が固定的であるために，その使用形態が狭い範囲のものに限定されており，従ってガーデニングの愛好者が，トレリスを使用してもその個性を発揮することが容易になし得ないという状況にあり，ガーデニングにおけるメーカーの提案型の商品が求められている。
【０００３】
本発明はこのような事情に鑑みてなされたもので，その課題とするところは，第１に，ガーデニングにおける個性を発揮した多様な形態の使用を可能とするとともに後付け設置する場合を含めてその設置使用を可及的に簡易になし得るようにして，ガーデニングの新しい形態を提案可能なトレリスを提供するにあり，第２にこれに使用して使い勝手がよく，トレリスを簡易に設置することができる取付金具を提供するにある。
【０００４】
【課題を解決するための手段】
上記第１の課題に添って本発明は，地上設置のアーチ，門，テラス，ベランダ，ポール等各種構造物における，特に支柱，梁，桁，桟等の長尺の構造枠をトレリスの設置対象とし，これらに植物を這わせたり，花を植栽したポットを吊り下げたりすることを可能とするとともにトレリスを長尺の構造枠に対して囲繞状に設置したり，構造枠の複数面，単一面等に面付けを含めて部分的に設置したりし得るようにシステムを構成するようにして，その選択組合せによってトレリスの使用形態の自由性を可及的に確保し，ガーデニング愛好者の個性発揮を実現し得るとともにトレリスの設置を可及的に簡易且つ確実になし得るようにしたものであって，即ち請求項１に記載の発明を，地上設置の構造物における支柱，梁等の構造枠を囲繞被覆しまた部分被覆するように該構造枠に取付設置する構造枠被覆用のトレリスであって，上記囲繞被覆の形状を構造枠外周方向に等区分することによって断面形状を円弧，Ｌ字，コ字，直線，波線等の適宜の区分形状とするとともに構造枠の長手方向に沿う長尺のグリッドとし且つ上記構造枠との間に取付金具を介設することによって構造枠の外周方向に離隔した状態に取付自在とし且つ上記取付金具を，上記構造枠とトレリスとの間に構造枠長手方向に傾斜配置する所定の長さを有する長寸基体と，その長手方向一端に配置し構造枠の外側面に対接してネジ，釘等の固定金具によってこれに固定する対接固定片と，長手方向他端に配置しグリッドに引掛係止して構造枠からの間隔を保持してトレリスを保持する引掛係止片とを備えて形成してなることを特徴とする支柱等設置用トレリスとし，請求項２に記載の発明は，上記に加えて，ガーデニング愛好者の個性発揮の可能性を増大するとともに構造枠に設置してこれにマッチして好ましい外観を形成し得るものとするように，これを，上記断面形状を円弧とし且つその囲繞被覆の形状の等区分を円周の１／２円，１／３円又は１／４円の等角度としてなることを特徴とする請求項１に記載の支柱等設置用トレリスとし，請求項３に記載の発明は，同じく上記に加えて，耐久性に富むとともに構造枠に設置した際にトレリスの目立ちを可及的に抑制し，その機能を充分に発揮し，且つ工場の生産性と商品の均質性を高度に確保し得るものとするように，これを，上記グリッドを太径の丸鋼線材を溶着することによって構成してなることを特徴とする請求項１又は２に記載の支柱等設置用トレリスとし，また上記第２の課題に添って，請求項４に記載の発明を，地上設置の構造物における支柱，梁等の構造枠を囲繞被覆しまた部分被覆するように該構造枠に取付設置する構造枠被覆用にして構造枠の長手方向に沿う長尺のグリッドの構成としたトレリスの取付金具であって，上記構造枠とトレリスとの間に構造材長手方向に傾斜配置する所定の長さを有する長寸基体と，その長手方向一端に配置し構造枠の外側面に対接してネジ，釘等の固定金具によってこれに固定する対接固定片と，長手方向他端に配置しグリッドに引掛係止して構造枠からの間隔を保持してトレリスを保持する引掛係止片とを備えてなることを特徴とする支柱等設置用トレリスの取付金具とし，請求項５に記載の発明は，上記に加えて，引掛係止片によるトレリスの保持を，構造枠に対して定位置に可及的にその位置ずれを防止するように簡易且つ確実に行うとともに必要に応じてトレリスの端部を相互の突き合せた状態でその双方を同時に引掛係止してトレリスの連結を行い得るものとするように，これを，上記引掛係止片を二股形状に形成し，グリッドの十字状，Ｔ字状，Ｙ字状等の交点を引掛係止自在としてなることを特徴とする請求項４に記載の支柱等設置用トレリスの取付金具とし，請求項６に記載の発明は，同じく上記に加えて，上記傾斜配置する取付金具にスプリング作用を付与することによって，トレリスの構造枠への設置において，構造枠の太さ寸法の相違に対応し，その設置の許容度を可及的に確保し，またトレリスの設置状態における衝撃等外力に対する緩衝性を可及的に確保するように，これを，上記取付金具をバネ鋼によって形成してなることを特徴とする請求項４又は５に記載の支柱等設置用トレリスの取付金具としたものであって，これらをそれぞれ発明の要旨として上記第１又は第２の課題解決の手段としたものである。
【０００５】
本発明においてグリッドとは，碁盤目，網目，格子等に線材又は板材を組んで構成した格子乃至メッシュを意味し，線材又は板材の組角度やその方向を特に限定するものではない。
【０００６】
【発明の実施の形態】
以下図面の例に従って本発明を更に具体的に説明すれば，Ａはトレリスであり，該トレリスＡは，地上設置の構造物Ｂにおける支柱，梁等の構造枠２０を囲繞被覆しまた部分被覆するように該構造枠２０に取付設置する構造枠被覆用のものとしてあり，上記囲繞被覆の形状を構造枠２０外周方向に等区分することによって断面形状を円弧，Ｌ字，コ字，直線，波線等の適宜の区分形状とするとともに構造枠２０の長手方向に沿う長尺のグリッドとし且つ上記構造枠２０との間に取付金具１０を介設することによって構造枠２０の外周方向に離隔した状態に取付自在としてあり，本例において上記断面形状を円弧とし且つその囲繞被覆の形状の等区分を円周の１／２円，１／３円又は１／４円の等角度とし，このうちから特に１／２円のものとしてある。
【０００７】
即ち本例のトレリスＡは，例えば長さを約９０ｃｍとして，半径を約９ｃｍ及び約１４ｃｍとし，各相互に突き合せ配置することによって直径を約１８ｃｍ及び約２８ｃｍの真円を形成し得るようにした，長さを同一にして半径を違えた各１／２円のものを２種類（図示したものは半径を約１４ｃｍとしたもの，即ち直径を約２８ｃｍとしたものである）用意して，構造枠２０の太さに応じて適宜に選択してそれぞれ使用するようにしてあり，その各使用の形態を，構造枠２０を囲んでこれを囲繞被覆するように突き合せの対として使用する形態，半径より幅狭の構造枠２０の正面，底面，背面等の面を部分被覆するように単独で使用する形態，半径より幅広の構造枠２０の正面，背面等に面付け状に部分被覆するように単独で使用する形態とするようにしてあり，このとき構造枠２０の長さに応じてその長手方向に同一又は異なる使用形態のもの，更には異なる径のものを連続するように配置することも可能である。
【０００８】
トレリスＡは，本例にあって，上記グリッドを太径の丸鋼線材１，２を溶着することによって構成してあり，本例の太径の丸鋼線材１，２は，これを，例えば直径４ｍｍと２ｍｍ程度太さの２種類の線材を縦横に交差して用い，２ｍｍの丸鋼線材１を上記約９０ｃｍの長さの長手方向に，４ｍｍの丸鋼線材２をこれに直交する円弧方向にそれぞれ向けるように配置して使用してあり，このとき本例のグリッドは，その丸鋼線材１，２の配置ピッチを上記長手方向に１０ｃｍ程度，円弧方向に５乃至６ｃｍ程度とし，これらをその交点でスポット溶接することによって一体化して，丸鋼線材１，２を溶着した粗いメッシュ状のグリッドをなすものとしてある。
【０００９】
トレリスＡの形成は，本例にあって長手方向に向ける線材１を，所定長さ，即ち本例において約９０ｃｍに切断した直線のものとする一方，円弧方向に向ける線材２を，上記半径の半円に予め金型，ベンダー等により湾曲した曲線のものとした上，直線の線材１を配置した上に曲線の線材２を載置して，トレリスＡにおけるグリッドの形状としてから，上記スポット溶接を行なうことによって行なってあり，これは平面においてグリッドの形状としたものを後加工によって湾曲する場合より，形状の確保，歪みの防止等が容易となるからである。
【００１０】
トレリスＡは，その上記溶接前の丸鋼線材１，２の状態で，或いは溶接後のグリッドの状態で，必要に応じて塗装を行なうようにしてあり，本例にあっては溶接後に，例えばホワイト，ブラック，ブラウン等適宜の顔料を添加した耐候性の良好な塗料，例えばポリエステル系塗料によって粉体塗装を施した複数の色調のものとしてあり，これによって長期に亘り屋外に設置するトレリスＡとしての耐久性を備え，設置時の状態を考慮した色調の選択ができるようにしたものとしてある。
【００１１】
取付金具１０は，これを，上記構造枠２０とトレリスＡとの間に構造枠２０長手方向に傾斜配置する所定の長さを有する長寸基体１１と，その長手方向一端に配置し構造枠２０の外側面に対接してネジ，釘等の固定金具１３によってこれに固定する対接固定片１２と，長手方向他端に配置しグリッドに引掛係止して構造枠２０からの間隔を保持してトレリスＡを保持する引掛係止片１４とを備えたものとしてあり，このとき本例にあって上記引掛係止片１４は，これを二股形状に形成し，グリッドの十字状，Ｔ字状，Ｙ字状等の交点を引掛係止自在としてある。
【００１２】
即ち本例の取付金具１４は，例えばその全長を約１０ｃｍと約１５ｃｍとし，幅を約２ｃｍとする２種類の異長のもの（図示したものは１５ｃｍの取付金具である）を用意してあり，それぞれ矩形平板状の長寸基体１１の一端に，例えば４５度の角度で，面内に固定金具１３用の透孔を透設した舌片状の対接固定片１２を傾斜突設して備える一方，長寸基体１１の他端に，その上記対接固定片１２の傾斜方向，即ち突出方向に向けてループ状に湾曲して湾曲部１５とするとともにその先端を３０度の角度で，同じく傾斜突設したガイド片１６とし，これら湾曲部１５とガイド片１６とによって形成した引掛係止片１４を備えたものとしてあり，このとき上記ループ状の湾曲部の湾曲を，ガイド片１６のガイドによって上記４ｍｍの円弧方向に向けた線材２を受入れてその引掛係止を行なうように，該線材よりやや太い径の，例えば５ｍｍ径として，その底面を湾曲面をなすように形成してある。
【００１３】
本例において二股形状とした引掛係止片１４は，これを先端において長手方向に沿う中間溝１７を形成することによってこれを幅方向に二股をなすものとしてあり，本例にあっては上記引掛係止片１４におけるガイド片１６の先端から湾曲部１５に向けて中間溝１７を形成したものとしてあり，これによって引掛係止片１４を，図２乃至４に示すようにグリッドにおける上記丸鋼線材１，２を溶着することによって形成される，本例において十字状の交点に対して引掛係止することによって，トレリスＡを，構造枠２０に対して定位置にこれを固定してその位置ずれを可及的に防止するように確実に行なうものとしてあり，また本例にあっては中間溝１７の幅を長手方向に向けた線材１の２本分の広めに設定することによって，図９に示すように併せてトレリスＡの端部を相互に突き合せた状態でその突き合せ部分の双方のＴ字状の交点を同時に引掛係止して，トレリスＡの連結を兼ねることを可能とするようにしてある。
【００１４】
このとき本例の取付金具１０は，これをバネ鋼によって形成してあり，これによって上記構造枠２０とトレリスＡとの間に構造枠長手方向に傾斜配置する取付金具１０にスプリング作用を付与することによって，トレリスＡの構造枠２０への設置において，構造枠２０の太さ寸法の相違に対応し，その許容度を可及的に確保し，またトレリスＡの設置状態における衝撃等外力に対する緩衝性を可及的に確保するようにしてある。
【００１５】
トレリスＡの取付金具１０を使用した構造枠２０への取付けは，取付金具１０によって構造枠２０の外周方向，即ち正面側等外側に離隔した状態に行なうように，これらの間に該取付金具１０を介設することによって行なうものとしてあり，これを，例えば構造枠２０，特に径より幅狭の支柱に囲繞被覆して設置する場合について説明すれば，支柱に合わせて選択した径のトレリスＡを複数用いて，例えば支柱の外周側面に対接固定片１２を固定金具１３によってその外周方向同一位置にそれぞれ固定することによって，予め取付金具１０を支柱に下向きに配置するとともに引掛係止片１４をグリッドに引掛係止することによってトレリスＡに同様に予め取付金具１０を上向きに先付けした状態とした後，トレリスＡを手持ちし，上記支柱に対してその下方にスライドするようにすることによって，支柱に固定した取付金具１０の引掛係止片１４にそのグリッドを引掛係止して，支柱にトレリスＡを吊り持ち状態とし，この状態でトレリスＡを支柱に対して離隔して平行となるように調整して，これに先付けした取付金具１０の対接固定片１２を支柱に対接固定して，片側の被覆設置を行い，その後に同様に他方のトレリスＡを設置し，必要に応じて図示省略のクリップ等連結部材を使用してトレリスＡの突き合せの連結を行なって，双方で支柱を囲繞被覆するようにすればよく，このとき支柱長手方向にこれを繰り返すようにすれば，その全長又はこれに近い状態に支柱を囲繞被覆することができる。
【００１６】
因に部分被覆するときは，上記片側のトレリスＡの設置に準じてこれを行なえばよく，このとき半径より幅広の支柱，梁等に対して面付け状とするときも同様に片側のトレリスＡに設置に準じてこれを行なえばよいが，梁等の水平のものにトレリスＡを設置するときは，上記取付金具１０の設置を構造枠２０の横方向に向けるようにしてこれを行なうようにすればよく，また梁等を囲繞被覆するとも，上記支柱の囲繞被覆のものに準じてこれを行なえばよい。
【００１７】
これによりトレリスＡに植物を這わせたり，花を植栽したポットをフックを介して吊り設置したりして，ガーデニング愛好者の個性を発揮し得る，構造枠２０を使用した装飾，延いては庭等のデザインを行なうことができる。
【００１８】
図示した例は以上のとおりとしたが，トレリスの断面形状を，上記円弧のものに代えて，Ｌ字，コ字，直線，波線等の適宜の形状にして，構造枠囲繞被覆の形状を等区分したものとすること，上記断面形状を円弧とするとき，上記１／２円のものに代えて，これを１／３円又は１／４円の等角度のものとすること，取付金具をグリッドの交点に引掛係止自在のものとするとき，グリッドの交点形状を，上記十字状のものに代えて，Ｔ字状，Ｙ字状等適宜のものとするように，トレリス乃至そのグリッドを構成すること，上記取付金具を合成樹脂製，アルミ製，金属製のものとすること，このとき該取付金具を，対接固定片と引掛係止片を備えたものとする限り，適宜の形状乃至構造のものとすること等を含めて，本発明の実施に当って，設置対象の構造枠，トレリス，そのグリッド，取付金具，また取付金具の長寸基体，対接固定片，引掛固定片等の各具体的構造，形状，材質，寸法，数，これらの関係，これらに対する付加，その製造方法，取付方法，使用方法等は，上記発明の要旨に反しない限り様々の形態のものとすることができる。
【００１９】
【発明の効果】
本発明は以上のとおりに構成したから，請求項１に記載の発明は，ガーデニングにおける個性を発揮した多様な形態の使用を可能とするとともに後付け設置する場合を含めてその設置使用を可及的簡易且つ確実になし得るようにして，ガーデニングの新しい形態を提案可能なトレリスを提供することができ，請求項２に記載の発明は，上記に加えて，ガーデニング愛好者の個性発揮の可能性を増大するとともに構造枠に設置してこれにマッチして好ましい外観を形成し得るものとすることができ，請求項３に記載の発明は，同じく上記に加えて，耐久性に富むとともに構造枠に設置した際にトレリスの目立ちを可及的に抑制し，その機能を充分に発揮し，且つ工場の生産性と商品の均質性を高度に確保し得るものとすることができ，請求項４に記載の発明は，上記支柱等設置用のトレリスに使用して使い勝手がよく，これを簡易に設置することができる取付金具を提供することができ，請求項５に記載の発明は，上記に加えて，引掛係止片によるトレリスの保持を，構造枠に対して定位置に可及的にその位置ずれを防止するように簡易且つ確実に行うとともに必要に応じてトレリスの端部を相互の突き合せた状態でその双方を同時に引掛係止してトレリスの連結を行い得るものとすることができ，請求項６に記載の発明は，同じく上記に加えて，上記傾斜配置する取付金具にスプリング作用を付与することによって，トレリスの構造枠への設置において，構造枠の太さ寸法の相違に対応し，その設置の許容度を可及的に確保し，またトレリスの設置状態における衝撃等外力に対する緩衝性を可及的に確保することができる。
【図面の簡単な説明】
【図１】トレリスの使用状態を示す斜視図である。
【図２】トレリスの構造枠への設置状態を示す斜視図である。
【図３】図２の上部の部分拡大斜視図である。
【図４】図２の下部の部分拡大斜視図である。
【図５】トレリスの正面図である。
【図６】トレリスの縦断面図である。
【図７】取付金具の正面図である。
【図８】取付金具の側面図である。
【図９】取付金具の使用例を示す部分拡大斜視図である。
【符号の説明】
Ａ  トレリス
Ｂ  構造物
１  線材
２  線材
１０  取付金具
１１  長寸基体
１２  対接固定片
１３  固定金具
１４  引掛固定片
１５  湾曲部
１６  ガイド片
１７  中間溝
２０  構造枠
【図１】
0003930670.tif 000002
【図２】
0003930670.tif 000003
【図３】
0003930670.tif 000004
【図４】
0003930670.tif 000005
【図５】
0003930670.tif 000006
【図６】
0003930670.tif 000007
【図７】
0003930670.tif 000008
【図８】
0003930670.tif 000009
【図９】
0003930670.tif 000010